(57)【要約】  【課題】  簡易な構成で臨場感に優れる音響再生を行うことができるスピーカ装置を提供する。  【解決手段】  Ｕ字状に湾曲する支持部材１０と、支持部材１０の両側にそれぞれ設けられたハウジング２０，２０と、ハウジング２０，２０の前面に取り付けられたスピーカユニットとを備えるスピーカ装置であって、支持部材１０は、両側のハウジング２０，２０の内部同士を連通するように中空状に形成され、端部にドロンコーン４０，４０が設けられており、ドロンコーン４０，４０は、前記スピーカユニットの背面側から出力された音波を背面側に受けて振動し、前面側から音響を出力するように配置されている。【選択図】  図２
2018148384.tif 000002
【特許請求の範囲】
【請求項１】
Ｕ字状に湾曲する支持部材と、前記支持部材の両側にそれぞれ設けられたハウジングと、前記ハウジングの前面に取り付けられたスピーカユニットとを備えるスピーカ装置であって、
前記支持部材は、両側の前記ハウジングの内部同士を連通するように中空状に形成され、端部または内部にドロンコーンが設けられており、
前記ドロンコーンは、前記スピーカユニットの背面側から出力された音波を背面側に受けて振動し、前面側から音響を出力するように配置されているスピーカ装置。
【請求項２】
前記支持部材は、前記ドロンコーンの前面側に放音口が形成されている請求項１に記載のスピーカ装置。
【請求項３】
前記放音口は、開口面積を可変可能なシャッタを備える請求項２に記載のスピーカ装置。
【請求項４】
前記放音口は複数形成され、それぞれを覆うように前記ドロンコーンが複数設けられており、
複数の前記ドロンコーンは、共振周波数がそれぞれ異なる請求項２または３に記載のスピーカ装置。
【請求項５】
前記支持部材は、伸縮可能且つ変形可能に構成されている請求項１から４のいずれかに記載のスピーカ装置。
【発明の詳細な説明】
【技術分野】
【０００１】
本発明は、スピーカ装置に関し、より詳しくは、使用者が首に掛けて使用することができるスピーカ装置に関する。
【背景技術】
【０００２】
音響再生装置で再生された音声や音楽を聞くための装置として、ヘッドホンやイヤホンが従来から広く用いられている。ヘッドホンやイヤホンは、携帯型プレーヤーと共に持ち運びが容易なため、移動時や外出時等にも使用することができるが、両耳に装着すると外部の音がほとんど遮断されてしまうため、歩行中や自転車走行中などに事故の危険性が高まるおそれがある。
【０００３】
このため、耳には直接装着せずに、使用者が首に掛けた状態で両耳の近傍にスピーカが配置される首掛け用のスピーカが知られている。例えば、特許文献１には、スピーカを備えるケースを首掛け部の両側に取り付けて、ケースの放音口からの音響で形成される音像を、使用者の前面側に定位させるように構成されたネックスピーカ装置が開示されている。ケースの側面にはバスレフ孔が形成されており、低音再生の向上が図られている。
【先行技術文献】
【特許文献】
【０００４】
【特許文献１】特開平６−１７８３８４号公報
【発明の概要】
【発明が解決しようとする課題】
【０００５】
上記特許文献１に開示された装置は、ケースからの低音再生がヘルムホルツ共鳴を利用して行われる。ヘルムホルツの共振周波数は、ケースの内容積や、バスレフ孔の形状・大きさ等に基づき求めることができるが、良好な低音再生を行うためにはケースの大きさが過大になるため、実用性の面で問題があった。
【０００６】
また、音の再生が専ら２つのケースから行われて音像定位されるため、音の立体感に乏しく、自然な臨場感やサラウンド感が得られ難いという問題もあった。
【０００７】
そこで、本発明は、簡易な構成で臨場感に優れる音響再生を行うことができるスピーカ装置の提供を目的とする。
【課題を解決するための手段】
【０００８】
本発明の前記目的は、Ｕ字状に湾曲する支持部材と、前記支持部材の両側にそれぞれ設けられたハウジングと、前記ハウジングの前面に取り付けられたスピーカユニットとを備えるスピーカ装置であって、前記支持部材は、両側の前記ハウジングの内部同士を連通するように中空状に形成され、端部または内部にドロンコーンが設けられており、前記ドロンコーンは、前記スピーカユニットの背面側から出力された音波を背面側に受けて振動し、前面側から音響を出力するように配置されているスピーカ装置により達成される。
【０００９】
このスピーカ装置において、前記支持部材は、前記ドロンコーンの前面側に放音口が形成されていることが好ましい。前記放音口は、開口面積を可変可能なシャッタを備えることが好ましい。前記放音口は複数形成され、それぞれを覆うように前記ドロンコーンが複数設けられてもよく、この場合、複数の前記ドロンコーンは、共振周波数がそれぞれ異なることが好ましい。
【００１０】
また、前記支持部材は、伸縮可能且つ変形可能に構成されていることが好ましい。
【発明の効果】
【００１１】
本発明によれば、簡易な構成で臨場感に優れる音響再生を行うことができるスピーカ装置を提供することができる。
【図面の簡単な説明】
【００１２】
【図１】本発明の一実施形態に係るスピーカ装置の平面図である。
【図２】図１に示すスピーカ装置の断面図である。
【図３】本発明の他の実施形態に係るスピーカ装置の断面図である。
【図４】本発明の更に他の実施形態に係るスピーカ装置の平面図である。
【図５】本発明の更に他の実施形態に係るスピーカ装置の平面図である。
【発明を実施するための形態】
【００１３】
以下、本発明の実施の形態について、添付図面を参照して説明する。図１は、本発明の一実施形態に係るスピーカ装置を前面側から見た平面図であり、図２は、図１に示すスピーカ装置の断面図である。図１および図２に示すように、スピーカ装置１は、支持部材１０と、支持部材１０の両側にそれぞれ設けられた密閉可能なハウジング２０，２０と、ハウジング２０，２０に取り付けられたスピーカユニット３０，３０と、支持部材１０の両端部にそれぞれ設けられたドロンコーン４０，４０とを備えている。支持部材１０およびハウジング２０は、例えば、合成樹脂等により形成される。
【００１４】
支持部材１０は、中空の筒状体の両側をＵ字状に湾曲させた形状を有しており、両端部がハウジング２０，２０に接続されることにより、両側のハウジング２０，２０の内部同士が支持部材１０を介して連通されている。支持部材１０の前面側中央には、長穴状の放音口１２が形成されている。放音口１２は、両端がガイドレール１４ａ，１４ａに支持されて支持部材１０の外周面に沿って摺動するスライド式のシャッタ１４により、開口面積を可変できるように構成されている。支持部材１０は、使用者の首に掛けることが可能な構成であることが好ましいが、必ずしも首に掛ける用途に限定されるものではなく、例えば、襟にピン、ボタン、フック等で留めるような構造であってもよい。
【００１５】
スピーカユニット３０は、有線または無線で入力されたオーディオ信号に基づき振動板を振動させて音響を発生させる公知の構成であり、ハウジング２０の前面側に取り付けられて、ハウジング２０の前方および内部のそれぞれに、互いに逆位相の音波を出力する。
【００１６】
ドロンコーン４０は、スピーカユニット３０から駆動系を除外したものと同様の構成を備えており、振動板の周囲にゴムリングが装着された固有の共振周波数を有する構成を備えている。ドロンコーン４０は、ハウジング２０の内部が密閉空間となるように支持部材１０の端部に配置されており、スピーカユニット３０からハウジング２０内に出力された音波を背面側に受けて、この音波に共振周波数の周波数成分が含まれていると共振し、固有の共振周波数を有する音響をドロンコーン４０の前面側から支持部材１０の内部に出力する。
【００１７】
上記の構成を備えるスピーカ装置１は、使用者が支持部材１０を首に掛けると、支持部材１０の放音口１２およびスピーカユニット３０，３０が前方斜め上方を向いた状態で、ハウジング２０，２０が使用者の鎖骨付近に配置される。この状態で、スピーカユニット３０，３０を駆動してオーディオ信号を入力すると、スピーカユニット３０，３０の前面からステレオ方式の音響が出力される。
【００１８】
また、スピーカユニット３０，３０の背面から出力される音響によって、ドロンコーン４０，４０は、固有の共振周波数の音波を支持部材１０の内部に出力する。こうして、支持部材１０の放音口１２から使用者の後頭部付近に、ドロンコーン４０，４０の共振周波数に応じた低音が出力される。両側のドロンコーン４０，４０の共振周波数は、本実施形態では同じ値に設定しているが、互いに相違してもよい。放音口１２から出力される音響の音量調節は、シャッタ１４の操作により放音口１２の開口面積を調節して行うことができる。
【００１９】
このように、本実施形態のスピーカ装置１によれば、従来の首掛け用スピーカと同様に、スピーカユニット３０，３０の前面から出力される音響によって、使用者の両耳近傍から前方側に音像定位されると共に、ドロンコーン４０，４０から出力される低音が、使用者の頭の後方から出力されて、スピーカユニット３０，３０の前面側への音響出力を補うことができる。したがって、簡易で省電力な構成にも拘わらず、臨場感に優れる音響再生を行うことができ、例えば、映画鑑賞や音楽鑑賞等に好適に使用することができる。本実施形態のスピーカ装置１が採用するドロンコーン方式は、バスレフ方式と比較して小型化し易く、任意の共振周波数を容易に得ることができる。また、ウーハーのようなアクティブ素子が不要であるため、低コスト化を図ることができる。
【００２０】
また、従来の首掛け用スピーカと同様に、スピーカユニット３０，３０が使用者の前方に配置されることで、スピーカ装置１の重心位置も使用者の前方に位置するため、安定した使用感が得られると共に、両耳を塞がないために歩行時や自転車走行時にも安全に使用することができる。
【００２１】
以上、本発明の一実施形態について詳述したが、本発明の具体的な態様は上記実施形態に限定されない。例えば、本実施形態においては、支持部材１０に形成される放音口１２を単一のものとしているが、放音口１２を支持部材１０の長手方向に沿って複数形成してもよい。あるいは、支持部材２０に放音口１２を全く形成しない構成にすることも可能であり、使用者が、ドロンコーン４０，４０からの音波の出力を、主として支持部材２０の振動により体感するように構成してもよい。
【００２２】
また、ドロンコーン４０，４０の配置は、必ずしも本実施形態のように支持部材１０の端部である必要はなく、例えば図３に示されているように、支持部材１０の両側内部にそれぞれ配置した構成であってもよい。図３に示すスピーカ装置１の放音口１２は、支持部材１０の側壁におけるドロンコーン４０，４０の間に形成される。
【００２３】
また、図４に示すように、放音口１２を支持部材１０の内部から覆うようにドロンコーン４０を配置してもよい。この構成によれば、ハウジング２０，２０の内部空間に加えて支持部材１０の中空部を含むスピーカ装置１の内部全体を密閉空間とすることができ、放音口１２に対応してドロンコーン４０を配置することで、このドロンコーン４０の前面から放音口１２を介して支持部材１０の外部に低音の音響を出力することができる。この構成によれば、ドロンコーン４０が単一であってもよいので、更なる低コスト化を図ることができる。支持部材１０の断面開口面積は、密閉空間における空気の良好なバネ性が得られるようになるべく小さいことが好ましく、支持部材１０自体の共振周波数も考慮して適宜設定すればよい。
【００２４】
また、図５に示すように、放音口１２を複数（図５では２つとしているが、３つ以上も可）形成し、図４に示す構成と同様に、ドロンコーン４０を各放音口１２に対応して配置してもよい。この構成においては、各放音口１２に対応して配置するドロンコーン４０の固有の共振周波数を互いに相違するものとしてもよく、これによって、支持部材１０から出力される音響の低音帯域を拡げて、臨場感をより高めることができる。各放音口１２には、図１に示すシャット１４と同様の構成を取り付けて、開口面積を個別に調整可能にしてもよい。
【００２５】
上記各実施形態のスピーカ装置１は、支持部材１０の形状が予めＵ字状に成形されたものであるが、支持部材１０の一部または全部を蛇腹状にする等して、支持部材１０を伸縮可能かつ変形可能に構成してもよい。この構成によれば、上記各実施形態のスピーカ装置１と同様に首掛け用として使用できる他、支持部材１０を直線状に延ばして据置用のスピーカ装置として使用することもできる。
【符号の説明】
【００２６】
１  スピーカ装置
１０  支持部材
１２  放音口
１４  シャッタ
２０  ハウジング
３０  スピーカユニット
４０  ドロンコーン
【図１】
2018148384.tif 000003
【図２】
2018148384.tif 000004
【図３】
2018148384.tif 000005
【図４】
2018148384.tif 000006
【図５】
2018148384.tif 000007
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
Ｕ字状に湾曲する支持部材と、前記支持部材の両側にそれぞれ設けられたハウジングと、前記ハウジングの前面に取り付けられたスピーカユニットとを備えるスピーカ装置であって、
前記支持部材は、両側の前記ハウジングの内部同士を連通するように中空状に形成され、端部にドロンコーンが設けられており、
前記ドロンコーンは、前記スピーカユニットの背面側から出力された音波を背面側に受けて振動し、前面側から前記支持部材の内部に音響を出力するように配置され、
前記支持部材は、前面側中央に放音口が形成されているスピーカ装置。
【請求項２】
前記放音口は、長穴状に形成されている請求項１に記載のスピーカ装置。
【請求項３】
前記放音口は、開口面積を可変可能なシャッタを備える請求項１または２に記載のスピーカ装置。
【請求項４】
前記支持部材は、伸縮可能且つ変形可能に構成されている請求項１または３のいずれかに記載のスピーカ装置。
【手続補正２】
【補正対象書類名】明細書
【補正対象項目名】０００８
【補正方法】変更
【補正の内容】
【０００８】
本発明の前記目的は、Ｕ字状に湾曲する支持部材と、前記支持部材の両側にそれぞれ設けられたハウジングと、前記ハウジングの前面に取り付けられたスピーカユニットとを備えるスピーカ装置であって、前記支持部材は、両側の前記ハウジングの内部同士を連通するように中空状に形成され、端部にドロンコーンが設けられており、前記ドロンコーンは、前記スピーカユニットの背面側から出力された音波を背面側に受けて振動し、前面側から前記支持部材の内部に音響を出力するように配置され、前記支持部材は、前面側中央に放音口が形成されているスピーカ装置により達成される。
【手続補正３】
【補正対象書類名】明細書
【補正対象項目名】０００９
【補正方法】変更
【補正の内容】
【０００９】
このスピーカ装置において、前記放音口は、長穴状に形成されていることが好ましい。前記放音口は、開口面積を可変可能なシャッタを備えることが好ましい。